(57)【要約】【課題】軽量薄型で、かつリブを形成しなくても所要の強度をもったコンクリート型枠用間隔保持具を提供すること。【解決手段】薄手の鉄板をプレス成形して板状本体１１の両側縁を折り曲げた外側係合片１２と内側係合片１３を形成する。従来の間隔保持具のように外側係合片１２の折り曲げ部の厚みでコンクリートの圧力を支えるのではなく、外側係合片１２の幅でコンクリート圧力を支えることができる。  また、Ｔ型係止片１５を形成し、その先端部を折り曲げて型枠の端部に係止できるので、確実に保持具１０をコンクリート型枠に装着できる。【選択図】図１
2005344373.tif 000002
【特許請求の範囲】
【請求項１】
対向して配置される一対のコンクリート型枠を所定間隔に保持するため両コンクリート型枠の下端部間に配置されるコンクリート型枠用間隔保持具であって、板状本体の長手方向における両端部の両側縁に外側係合片を折り曲げ形成し、板状本体の長手方向における中間部の両側縁に各外側係合片と対を成す内側係合片を折り曲げ形成し、内外両係合片でコンクリート型枠の端部が係合される型枠係合部を形成したことを特徴とするコンクリート型枠用間隔保持具。
【請求項２】
前記型枠係合部の内側係合片近傍に切欠部を形成し、切欠部から板状本体を破断して両外側係合片を分離可能にしたことを特徴とする請求項１に記載のコンクリート型枠用間隔保持具。
【請求項３】
前記各外側係合片の前記内側係合片との対向端の上部に傾斜端部を形成し、前記各内側係合片の前記外側係合片との対向端の上部に傾斜端部を形成し、型枠係合部にコンクリート型枠の下端部を係合するとき、同下端部が両傾斜端部に沿って型枠係合部内に落とし込まれるようにしたことを特徴とする請求項１に記載のコンクリート型枠用間隔保持具。
【請求項４】
前記両側縁に折り曲げ形成した外側係合片の間に係止片を折り曲げ形成し、型枠係合部に係合したコンクリート型枠の端部に係止片の先端部を折り曲げて係止するようにしたことを特徴とする請求項１に記載のコンクリート型枠用間隔保持具。
【発明の詳細な説明】
【技術分野】
【０００１】
本発明は、コンクリート型枠用間隔保持具に関する。
【背景技術】
【０００２】
図４に示すように、従来のコンクリート型枠用間隔保持具ａは、鉄板から成る板状本体ｂの両端を折曲して外側係合片ｃを形成し、各外側係合片ｃの内側で板材ａの中間部を切り起こして外側係合片と対を成す内側係合片ｄを形成し、両係合片ｃ，ｄでコンクリート型枠ｆの端部を係合する型枠係合部ｅを形成した構造を備えている。
かかる構造のコンクリート型枠用間隔保持具ａによれば、対向する一対のコンクリート型枠ｆの下端部をそれぞれ型枠係合部ｅに嵌合し、上端部をそれぞれ別の保持具ａの型枠係合部ｅに嵌合することで、両コンクリート型枠ｆが所定間隔で立設保持される。
そして、コンクリートｇの硬化後に上側の間隔保持具ａをコンクリート型枠ｆから外すとともに、コンクリート型枠ｆを下側の間隔保持具ａの型枠係合部ｅから外し、下側の間隔保持具ａの側面へハンマー等で打撃を加えることで、コンクリートｇから露出した型枠係合部ｅを分離する。
【特許文献１】特開平９−４２２５
【発明の開示】
【発明が解決しようとする課題】
【０００３】
上記した構成を有する間隔保持具ａでは、コンクリートを打設したとき、その圧力を外側係合片ｃの折り曲げ部分の厚みで支えるので、板状本体ｂの厚みが不足すると外側係合片ｃが外側に拡開し、コンクリート型枠ｆを所定間隔に立設保持できない。そこで、板状本体ｂを厚くし、さらには波形あるいは山形等の断面形状を有するリブを形成して、その強度を高めている。
このように従来の間隔保持具ａはコンクリートの圧力に耐えうる厚い材料を使用するため重くなり、取扱に不便である。また、リブによって板状本体ｂの裏面に空間が生じ、硬化したコンクリートｇ中にリブの空間による巣が発生し、コンクリートｇの強度が低下するおそれがある。さらに、型枠ｆの底面と基礎コンクリートｈの間にリブの凹凸によって隙間が生じ、型枠ｆ間に流し込んだコンクリートが隙間から漏れ出て、基礎コンクリートｈ表面の見栄えが損なわれる。  
【０００４】
本発明は上記の課題に鑑み為されたものであって、軽量薄型で、かつリブを形成しなくても所要の強度をもったコンクリート型枠用間隔保持具を提供することを目的とする。
【課題を解決するための手段】
【０００５】
請求項１に記載の発明は、対向して配置される一対のコンクリート型枠を所定間隔に保持するため両コンクリート型枠の下端部間に配置されるコンクリート型枠用間隔保持具であって、板状本体の長手方向における両端部の両側縁に外側係合片を折り曲げ形成し、板状本体の長手方向における中間部の両側縁に各外側係合片と対を成す内側係合片を折り曲げ形成し、内外両係合片でコンクリート型枠の端部が係合される型枠係合部を形成する。
そして、好ましくは前記型枠係合部の内側係合片近傍に切欠部を形成し、切欠部から板状本体を破断して両外側係合片を分離可能にする。
また、好ましくは前記各外側係合片の前記内側係合片との対向端の上部に傾斜端部を形成し、前記各内側係合片の前記外側係合片との対向端の上部に傾斜端部を形成し、型枠係合部にコンクリート型枠の下端部を係合するとき、同下端部が両傾斜端部に沿って型枠係合部内に落とし込まれるように構成する。
さらに、好ましくは前記両側縁に折り曲げ形成した外側係合片の間に係止片を折り曲げ形成し、型枠係合部に係合したコンクリート型枠の端部に係止片の先端部を折り曲げて係止するように構成する。
【発明の効果】
【０００６】
本発明に係るコンクリート型枠用間隔保持具の使用方法は以下の通りである。間隔保持具を基礎コンクリート面の所定箇所に設置し、外側係合片の内側端部と内側係合片の外側端部の間に内外一対のコンクリート型枠の一方の型枠の下端部を嵌合させる。同様にして、他方の型枠嵌合部に他方の型枠の下端部を嵌合する。また、内外一対のコンクリート型枠の上端部にも間隔保持具を装着して両型枠を所定の間隔に立設保持する。
間隔保持具で立設保持した両型枠間にコンクリートを流し込み、コンクリートがある程度硬化して型枠に加わる圧力が消滅した後、型枠を間隔保持具から取り外す。硬化したコンクリートから型枠係合部が露出するので、内側係合片の近傍から外側係合片を分離する。
本発明に係る間隔保持具によれば、板状本体の両側縁を折り曲げて外側係合片と内側係合片を形成したので、従来の間隔保持具のように外側係合片の折り曲げ部の厚みでコンクリートの圧力を支えるのではなく、両係合片の幅コンクリート圧力を支えることができる。
従って、板状本体の厚みを可及的に薄くして軽量化を図り、かつリブを形成しなくても所要の強度を確保できる。
そして、型枠係合部の内側係合片近傍に切欠部を形成することにより、切欠部から板状本体を破断するとき容易に両外側係合片を分離できる。
また、外側係合片と内側係合片の各上端部に傾斜端部を形成することにより、傾斜部に沿ってコンクリート型枠の下端部を型枠係合部に落とし込むことができるので、型枠の設置作業が容易になり、施工の能率が向上する。
さらには、係止片を形成し、その先端部を折り曲げて型枠の端部に係止することにより、確実に保持具をコンクリート型枠に装着できる。
【発明を実施するための最良の形態】
【０００７】
薄手の鉄板をプレス成形して平坦な板状本体を形成するとともに、板状本体の長手方向における両端部の両側縁に外側係合片を折り曲げ形成し、板状本体の長手方向における中間部の両側縁に各外側係合片と対を成す内側係合片を折り曲げ形成し、内外両係合片でコンクリート型枠の端部が係合される型枠係合部を形成する。前記型枠係合部の内側係合片近傍に切欠部を形成し、切欠部から板状本体を破断して両外側係合片を分離可能にする。前記各外側係合片の前記内側係合片との対向端の上部に傾斜端部を形成し、前記各内側係合片の前記外側係合片との対向端の上部に傾斜端部を形成し、型枠係合部にコンクリート型枠の下端部を係合するとき、同下端部が両傾斜端部に沿って型枠係合部内に落とし込まれるように構成する。前記両側縁に折り曲げ形成した外側係合片の間に係止片を折り曲げ形成し、型枠係合部に係合したコンクリート型枠の端部に係止片の先端部を折り曲げて係止するように構成する。
【実施例１】
【０００８】
以下に本発明を図面に基づき説明するに、図１には本発明の実施例に係るコンクリート型枠用間隔保持具が示されている。当該間隔保持具は、薄手の鉄板をプレス成形することにより板状本体１１、両端に各２枚の外側係合片１２、各外側係合片と対を成す４枚の内側係合片、両端の内側係合片を連結する２枚の中間折り曲げ片１４及び２個の係止片１５の各部が形成されている。
【０００９】
板状本体１１は凹凸部の無い平坦な長方形に形成されている。外側係合片１２は略正方形を有し、板状本体１１の長手方向における両端部の両側縁から直角に折り曲げられている。外側係合片１２の内側の上部角隅に三角形の係合凸片１２ａが一体に形成されている。この係合凸片１２ａには傾斜端部１２ｂが形成されている。
【００１０】
内側係合片１３と中間折り曲げ片１４は板状本体１１の長手方向における中間部の両側縁から直角に折り曲げられている。内側係合片１３は中間折り曲げ片１４より高く設けられ、内側係合片１３の外側の上部角部に傾斜部１３ａが形成されている。
【００１１】
一端側の２枚の外側係合片１２と隣り合う２枚の内側係合片１３が対を成し、両係合片１２，１３によって板状本体１１の一端に型枠係合部１６が区画形成され、同様にして他端側にも型枠嵌合部１６が区画形成されている。
【００１２】
型枠嵌合部１６には内側係合片１３に隣接して三角形の切欠部１７が形成されている。この切欠部１７は板状本体１１の側縁から本体幅方向に延び、板状本体１１の幅が切欠部１７によって狭められているので、板状本体１１を切欠部から分離できる。
【００１３】
係止片１５は略Ｔ字形を有し、隣接する両外側係合片１２の間に立設されている。この係止片１５は型枠嵌合部１６の一部をＴ字形に打ち抜き、打ち抜き片を板状本体１１に対して直角に折り曲げて形成され、両外側係合片１２の内側端部とほぼ整列するように配置されている。
【００１４】
板状本体１１の中間部には軽量化を図るため円形の打ち抜き穴１８が複数箇所に形成されている。また、隣接する外側係合片１２の間に釘穴１９が形成されている。
【００１５】
本実施形態に係るコンクリート型枠用間隔保持具１０の構造は以上の通りであって、以下にその使用方法を説明する。図２に示すように、間隔保持具１０を基礎コンクリート面ｈの所定箇所に設置し、釘穴１９からコンクリート面ｈに釘２０を打ち込んで間隔保持具１０を固定する。コンクリート型枠３０を外側係合片１２の傾斜部１２ｂと内側係合片１３の傾斜部１３ａに沿って傾けながら下端部を一方の型枠係合部１６の底面に当たるまでに差し込む。型枠３０をコンクリート面ｈと直角を成すように起し、外側係合片１２の内側端部と内側係合片１３の外側端部の間に型枠３０の下端部を嵌合させる。これにより、型枠３０の下端部の裏面に設けられている折り返し片３１に間隔保持具１０の係合凸片１２ａが係合するので、さらにＴ型係止片１５の頭部を折り曲げて型枠３０の折り返し片３１に係止する。同様にして、他方の型枠嵌合部１６にも型枠３０を嵌合する。続いて、図３に示すようにコンクリート型枠３０の上端部にそれぞれ２個の間隔保持具１０を装着して両型枠３０を所定の間隔に立設保持する。
【００１６】
図３に示すように、４個の間隔保持具１０で立設保持した両型枠間３０にコンクリートを流し込み、コンクリートがある程度硬化して型枠３０に加わる圧力が消滅した後、型枠上端部の間隔保持具１０を外し、次ぎに型枠３０をコンクリートに埋設された間隔保持具１０から取り外す。すると、硬化したコンクリートから型枠係合部１６が露出するので、ハンマーでたたく等して切欠部１７から外側係合片と共に型枠嵌合部１６を分離する。
【００１７】
本実施例に係る間隔保持具１０によれば、板状本体１１の両側縁を折り曲げて外側係合片１２と内側係合片１３を形成したので、従来の間隔保持具のように外側係合片１２の折り曲げ部の厚みでコンクリートの圧力を支えるのではなく、外側係合片１２の幅でコンクリート圧力を支えることができる。
従って、板状本体１１の厚みを可及的に薄くして軽量化を図り、かつリブを形成しなくても所要の強度を確保できる。
【００１８】
型枠係合部１６の内側係合片１３の近傍に切欠部１７を形成したので、切欠部１７から容易に型枠嵌合部１６を分離できる。また、外側係合片１２と内側係合片１３の各上端部に傾斜端部１２ｂ，１３ａを形成したので、傾斜部１２ａ，１３ａに沿ってコンクリート型枠３０の下端部を型枠係合部１６に落とし込むことができる。このため、型枠３０の設置作業が容易になり、施工の能率が向上する。
【００１９】
Ｔ型係止片１５を形成し、その先端部を折り曲げて型枠３０の端部３１に係止できるので、確実に保持具１０をコンクリート型枠３０に装着できる。
【図面の簡単な説明】
【００２０】
【図１】本発明の実施例に係るコンクリート型枠用間隔保持具を示す斜視図である。
【図２】同間隔保持具の使用方法を示す一部破断断面図である。
【図３】同間隔保持具の使用方法を示す斜視図である。
【図４】従来のコンクリート型枠用間隔保持具の使用方法を示す斜視図である。
【符号の説明】
【００２１】
１０…コンクリート型枠用間隔保持具、１１…板状本体、１２…外側係合片、１２ａ…係合凸片、１２ｂ…傾斜部、１３…内側係合片、１３ａ…傾斜部、１５…係止片、１６…型枠嵌合部、１７…切欠部。
【図１】
2005344373.tif 000003
【図２】
2005344373.tif 000004
【図３】
2005344373.tif 000005
【図４】
2005344373.tif 000006